(57)【要約】【課題】外周端面がテーパー形状をしたディスクが用いられた場合にもレバーの動作を確実に行わせることができるディスク装置を提供すること。【解決手段】ベース本体と蓋体とからシャーシ外装を構成し、前記シャーシ外装のフロント面には、ディスクを直接挿入するディスク挿入口を形成し、前記シャーシ外装内部には、前記ディスクの挿入時又は排出時に動作するレバーを有し、前記レバーの可動側端部にガイドを備え、前記ガイドによって前記ディスクをガイドするディスク装置であって、前記ガイドを、前記レバーに固定する固定部と、前記固定部に対して変位する可動部と、前記可動部を前記固定部から離間する方向に付勢する弾性体とによって構成したことを特徴とするディスク装置。【選択図】        図１
2005302188.tif 000002
【特許請求の範囲】
【請求項１】
ベース本体と蓋体とからシャーシ外装を構成し、前記シャーシ外装のフロント面には、ディスクを直接挿入するディスク挿入口を形成し、前記シャーシ外装内部には、前記ディスクの挿入時又は排出時に動作するレバーを有し、前記レバーの可動側端部にガイドを備え、前記ガイドによって前記ディスクをガイドするディスク装置であって、
前記ガイドを、前記レバーに固定する固定部と、前記固定部に対して変位する可動部と、前記可動部を前記固定部から離間する方向に付勢する弾性体とによって構成したことを特徴とするディスク装置。
【請求項２】
前記可動部を、前記弾性体によって前記蓋体の内側面に当接させたことを特徴とする請求項１に記載のディスク装置。
【請求項３】
前記可動部の前記蓋体側端面に、リブを設けたことを特徴とする請求項２に記載のディスク装置。
【請求項４】
前記リブをリング状に設けたことを特徴とする請求項３に記載のディスク装置。
【請求項５】
前記固定部の前記レバー側外径を、前記可動部側外径よりも大きくして、前記固定部の外周面を傾斜させたことを特徴とする請求項１に記載のディスク装置。
【請求項６】
前記可動部の外径を、前記固定部の外径よりも小さくしたことを特徴とする請求項１に記載のディスク装置。
【請求項７】
前記可動部の前記蓋体側の外径を前記可動部の前記レバー側よりも大きくして、前記可動部の前記蓋体側端部外周面を傾斜させたことを特徴とする請求項１に記載のディスク装置。
【請求項８】
前記弾性体として、前記レバー側外径を前記可動部側外径よりも大きくした円錐コイルばねを用いたことを特徴とする請求項１に記載のディスク装置。
【請求項９】
前記レバーの回動支点となる固定側端部を前記ベース本体の側面側又はリア面側の外周部に配置し、前記可動側端部を前記ベース本体の内周部で動作させたことを特徴とする請求項１に記載のディスク装置。
【請求項１０】
ディスクの挿入時又は排出時に動作するレバーの可動側端部にガイドを備え、前記ガイドによって前記ディスクをガイドするディスク装置であって、
前記ガイドを、前記レバーに固定する固定部と、前記固定部に対して変位する可動部と、前記可動部を前記固定部から離間する方向に付勢する弾性体とによって構成し、
前記レバーの回動支点となる前記固定側端部を前記ベース本体の側面側又はリア面側の外周部に配置し、前記可動側端部を前記ベース本体の内周部で動作させ、
前記可動部を、前記弾性体によって前記蓋体の内側面に当接させたことを特徴とするディスク装置。
【請求項１１】
前記可動部の前記蓋体側端面にリング状のリブを設けたことを特徴とする請求項１０に記載のディスク装置。
【請求項１２】
前記蓋体の内側面に、ウレタン樹脂ビーズ配合のフッ素系コーティングを施したことを特徴とする請求項１から請求項１１のいずれかに記載のディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できる、いわゆるスロットイン方式のディスク装置に関する。
【背景技術】
【０００２】
従来のディスク装置は、トレイまたはターンテーブル上にディスクを載置し、このトレイやターンテーブルを装置本体内に装着するローディング方式が多く採用されている。
しかし、このようなローディング方式では、トレイやターンテーブルが必要な分、ディスク装置本体を薄型化するには限度がある。
一方、スロットイン方式のディスク装置としては、ディスク面に搬送ローラを当接させてディスクを引き込む方式が提案されている（例えば特許文献１）。
しかし、例えば特許文献１で提案されているようなスロットイン方式では、ディスク直径より長い搬送ローラを用いるために、装置幅を広くしなければならず、さらにこの搬送ローラによって厚みも増してしまう。
このようなことから、レバーによってディスクの搬送を行うスロットイン方式のディスク装置が、ディスク装置本体の薄型化や小型化に適している（例えば特許文献２）。
【特許文献１】特開平７−２２０３５３号公報
【特許文献２】特開２００２−３５２４９８号公報
【発明の開示】
【発明が解決しようとする課題】
【０００３】
特許文献２の発明における装置では、レバーに設けたローラと蓋体内面との間には、レバーをスムーズに回動させるために若干の隙間を設ける必要がある。
しかし、近年、外周端面がテーパー形状をしたディスクが市場に出回っており、このようなディスクを特許文献２に記載の装置に用いると、ローラと蓋体内面との間の隙間にディスクが食い込んでしまい、レバーの動作に支障をきたすおそれが出ている。
【０００４】
そこで本発明は、外周端面がテーパー形状をしたディスクが用いられた場合にもレバーの動作を確実に行わせることができるディスク装置を提供することを目的とする。
特に本発明は、ローラと蓋体内面との間の隙間が無いディスク装置を提供することを目的とする。
【課題を解決するための手段】
【０００５】
請求項１記載の本発明のディスク装置は、ベース本体と蓋体とからシャーシ外装を構成し、前記シャーシ外装のフロント面には、ディスクを直接挿入するディスク挿入口を形成し、前記シャーシ外装内部には、前記ディスクの挿入時又は排出時に動作するレバーを有し、前記レバーの可動側端部にガイドを備え、前記ガイドによって前記ディスクをガイドするディスク装置であって、前記ガイドを、前記レバーに固定する固定部と、前記固定部に対して変位する可動部と、前記可動部を前記固定部から離間する方向に付勢する弾性体とによって構成したことを特徴とする。
請求項２記載の本発明は、請求項１に記載のディスク装置において、前記可動部を、前記弾性体によって前記蓋体の内側面に当接させたことを特徴とする。
請求項３記載の本発明は、請求項２に記載のディスク装置において、前記可動部の前記蓋体側端面に、リブを設けたことを特徴とする。
請求項４記載の本発明は、請求項３に記載のディスク装置において、前記リブをリング状に設けたことを特徴とする。
請求項５記載の本発明は、請求項１に記載のディスク装置において、前記固定部の前記レバー側外径を、前記可動部側外径よりも大きくして、前記固定部の外周面を傾斜させたことを特徴とする。
請求項６記載の本発明は、請求項１に記載のディスク装置において、前記可動部の外径を、前記固定部の外径よりも小さくしたことを特徴とする。
請求項７記載の本発明は、請求項１に記載のディスク装置において、前記可動部の前記蓋体側の外径を前記可動部の前記レバー側よりも大きくして、前記可動部の前記蓋体側端部外周面を傾斜させたことを特徴とする。
請求項８記載の本発明は、請求項１に記載のディスク装置において、前記弾性体として、前記レバー側外径を前記可動部側外径よりも大きくした円錐コイルばねを用いたことを特徴とする。
請求項９記載の本発明は、請求項１に記載のディスク装置において、前記レバーの回動支点となる固定側端部を前記ベース本体の側面側又はリア面側の外周部に配置し、前記可動側端部を前記ベース本体の内周部で動作させたことを特徴とする。
請求項１０記載の本発明のディスク装置は、ディスクの挿入時又は排出時に動作するレバーの可動側端部にガイドを備え、前記ガイドによって前記ディスクをガイドするディスク装置であって、前記ガイドを、前記レバーに固定する固定部と、前記固定部に対して変位する可動部と、前記可動部を前記固定部から離間する方向に付勢する弾性体とによって構成し、前記レバーの回動支点となる前記固定側端部を前記ベース本体の側面側又はリア面側の外周部に配置し、前記可動側端部を前記ベース本体の内周部で動作させ、前記可動部を、前記弾性体によって前記蓋体の内側面に当接させたことを特徴とする。
請求項１１記載の本発明は、請求項１０に記載のディスク装置において、前記可動部の前記蓋体側端面にリング状のリブを設けたことを特徴とする。
請求項１２記載の本発明は、請求項１から請求項１１のいずれかに記載のディスク装置において、前記蓋体の内側面に、ウレタン樹脂ビーズ配合のフッ素系コーティングを施したことを特徴とする。
【発明の効果】
【０００６】
本発明によれば、外周端面がテーパー形状をしたディスクが用いられた場合にもレバーの動作を確実に行わせることができる。
【発明を実施するための最良の形態】
【０００７】
本発明の第１の実施の形態によるディスク装置は、ガイドを、レバーに固定する固定部と、固定部に対して変位する可動部と、可動部を固定部から離間する方向に付勢する弾性体とによって構成したものである。本実施の形態によれば、可動部を弾性体によって固定部から離間する方向に突出させることで、挿入されるディスクを可動部によって確実に保持することができる。
本発明の第２の実施の形態は、第１の実施の形態によるディスク装置において、可動部を、弾性体によって蓋体の内側面に当接させたものである。本実施の形態によれば、例えば設計寸法の誤差やレバーの撓みなどによっても、可動部と蓋体との間には隙間を生じることがないために、可動部によってディスクを確実にガイドすることができる。
本発明の第３の実施の形態は、第２の実施の形態によるディスク装置において、可動部の蓋体側端面に、リブを設けたものである。本実施の形態によれば、可動部はリブによって蓋体と接触するために、摺動摩擦を少なくしてレバーの動作をスムーズに行わせることができる。
本発明の第４の実施の形態は、第３の実施の形態によるディスク装置において、リブをリング状に設けたものである。本実施の形態によれば、リブを部分的に設ける場合と比較してローラの傾きを生じにくくすることで、可動部によってディスクを確実にガイドすることができる。また、可動部自身もスムースに回転し、ディスクを滑らかに搬送することができる。
本発明の第５の実施の形態は、第１の実施の形態によるディスク装置において、固定部のレバー側外径を、可動部側外径よりも大きくして、固定部の外周面を傾斜させたものである。本実施の形態によれば、挿入されてきたディスクを固定部の傾斜面によって可動部側に滑らせることで、ディスクを所定の位置に導くことができる。
本発明の第６の実施の形態は、第１の実施の形態によるディスク装置において、可動部の外径を、固定部の外径よりも小さくしたものである。本実施の形態によれば、ディスクを可動部に導くことができる。
本発明の第７の実施の形態は、第１の実施の形態によるディスク装置において、可動部の蓋体側の外径を可動部のレバー側よりも大きくして、可動部の蓋体側端部外周面を傾斜させたものである。本実施の形態によれば、ディスクの傾きを抑えることができる。
本発明の第８の実施の形態は、第１の実施の形態によるディスク装置において、弾性体として、レバー側外径を可動部側外径よりも大きくした円錐コイルばねを用いたものである。本実施の形態によれば、同心円状のコイルばねと比較して、コイルばねの軸心に対して垂直な方向へ圧縮されたときの変位を大きくすることができ、すなわち、可動部の上下ストローク量を多くすることができる。従って、レバーと可動ローラとの間を薄くすることができる。
本発明の第９の実施の形態は、第１の実施の形態によるディスク装置において、レバーの回動支点となる固定側端部をベース本体の側面側又はリア面側の外周部に配置し、可動側端部をベース本体の内周部で動作させたものである。本実施の形態によれば、ベース本体の外周部で固定され、片持ち梁となるレバーにたわみが生じても、ベース本体の内周部に位置するガイドは、挿入されるディスクを確実に保持することができる。
本発明の第１０の実施の形態によるディスク装置は、ガイドを、レバーに固定する固定部と、固定部に対して変位する可動部と、可動部を固定部から離間する方向に付勢する弾性体とによって構成し、レバーの回動支点となる固定側端部をベース本体の側面側又はリア面側の外周部に配置し、可動側端部をベース本体の内周部で動作させ、可動部を、弾性体によって蓋体の内側面に当接させたものである。本実施の形態によれば、例えば設計寸法の誤差やレバーの撓みなどによっても、ベース本体の内周部に位置するガイドは、可動部と蓋体との間には隙間を生じることがないために、挿入されるディスクを確実に保持することができる。
本発明の第１１の実施の形態は、第１０の実施の形態によるディスク装置において、可動部の蓋体側端面にリング状のリブを設けたものである。本実施の形態によれば、可動部はリング状のリブによって蓋体と接触するために、摺動摩擦を少なくしてレバーの動作をスムーズに行わせることができる。また、可動部自身もスムース回転し、ディスクを滑らかに搬送することができる。
本発明の第１２の実施の形態は、第１から第１１の実施の形態によるディスク装置において、蓋体の内側面に、ウレタン樹脂ビーズ配合のフッ素系コーティングを施したものである。本実施の形態によれば、フッ素の特性による摺動性で可動部を滑らかに摺動させることができるとともに、ウレタン樹脂の特性によりディスクへの傷付きを防止し、フッ素の特性による摺動性でディスクを滑らかに摺動させ、挿入されるディスクの傾きを有効に防止することができる。
【実施例】
【０００８】
以下本発明の一実施例によるディスク装置について説明する。
図１は本実施例によるディスク装置のベース本体の平面図、図２は同ディスク装置の蓋体の平面図、図３は同ディスク装置のシャーシ外装のフロント面に装着されるベゼルの正面図、図４は同ディスク装置の排出レバーのガイドを示す要部拡大断面図である。
本実施例によるディスク装置は、ベース本体と蓋体とからシャーシ外装が構成され、このシャーシ外装のフロント面にベゼルが装着される。また本実施例によるディスク装置は、図３に示すベゼルに設けたディスク挿入口からディスクを直接挿入するスロットイン方式のディスク装置である。
【０００９】
図１に示すように、ディスクへの記録再生機能やディスクのローディング機能を行う各部品は、ベース本体１０に装着される。
ベース本体１０は、蓋体に対する深底部１０Ａと浅底部１０Ｂが形成され、浅底部１０Ｂによってフロント面からリア面に至るウイング部が形成されている。
ベース本体１０のフロント面側にはディスクを直接挿入するディスク挿入口１１を形成し、ベース本体１０のリア面の端部にはコネクタ１２を配設している。ベース本体１０のディスク挿入口１１側にはトラバース３０が配置され、ベース本体１０のコネクタ１２側にはリアベース１３が配置されている。トラバース３０とリアベース１３とは互いが重ならないように配置されている。リアベース１３のベース本体１０面側にはプリント基板１４が設けられている。
【００１０】
トラバース３０は、スピンドルモータ３１Ａとピックアップ３２とピックアップ３２を移動させる駆動手段３３とを保持している。スピンドルモータ３１Ａの回転軸には、ディスクを保持するハブ３１Ｂを備えている。スピンドルモータ３１Ａはトラバース３０の一端側に設けられ、ピックアップ３２はトラバース３０の一端側から他端側までを移動可能に設けられている。またピックアップ３２は停止時にはトラバース３０の他端側に配置される。
駆動手段３３は、駆動モータと、ピックアップ３２を摺動させる一対のレールと、駆動モータの駆動をピックアップ３２に伝達する歯車機構とを有し、一対のレールはトラバース３０の一端側と他端側とを連接するように両側部に配置されている。駆動モータはディスク挿入口１１側のレールの外方に、駆動軸がレールと平行になるように配置されている。歯車機構は、この駆動モータとディスク挿入口１１側のレールとの間の空間に配置されている。
【００１１】
トラバース３０は、スピンドルモータ３１Ａがベース本体１０の中央部に位置し、またピックアップ３２の往復動範囲がスピンドルモータ３１Ａよりもディスク挿入口１１側に位置し、またピックアップ３２の往復移動方向がディスクの挿入方向と異なるように配設されている。ここで、ピックアップ３２の往復移動方向とディスクの挿入方向とは、４０度から４５度の角度としている。
トラバース３０は、インシュレータ３４Ａ、３４Ｂによってベース本体１０に支持されている。
インシュレータ３４Ａ、３４Ｂは、スピンドルモータ３１Ａの位置よりもピックアップ３２の静止位置側に配設し、ピックアップ３２の静止位置よりもディスク挿入口１１側の位置に配設することが好ましい。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。インシュレータ３４Ａ、３４Ｂは、このダンパー機構によって、トラバース３０がベース本体１０から離間する方向に変位することができる。
【００１２】
トラバース３０のベース本体１０側の面にはリブ３５を設けている。このリブ３５は、ディスク挿入口１１と反対のレールの外方であって、ピックアップ３２の静止位置側に設けている。またこのリブ３５は、トラバース３０をベース本体１０側に近接させた時に、ベース本体１０に当接することで、インシュレータ３４Ａ、３４Ｂの位置でトラバース３０をベース本体１０から離間する方向に変位させるに十分な高さを有している。なお、本実施例では、リブ３５をトラバース３０のベース本体１０側の面に設けた場合で説明したが、ベース本体１０のトラバース３０側の面に設けてもよい。またトラバース３０のベース本体１０側の面と、ベース本体１０のトラバース３０側の面の双方に設けてもよい。また本実施例ではトラバース３０のベース本体１０側への近接動作を利用して、インシュレータ３４Ａ、３４Ｂ側のトラバース３０を上昇させる構成としたが、インシュレータ３４Ａ、３４Ｂの位置でのトラバース３０の高さを変更する他の手段、例えばインシュレータ３４Ａ、３４Ｂの高さを変更する手段によって実現することもできる。
なお、トラバース３０は、インシュレータ３４Ａ、３４Ｂを支点として、スピンドルモータ３１Ａをベース本体１０と近接離間させるように動作する。
【００１３】
以下に、このトラバース３０を動作させるカム機構を備えたメインスライダー４０とサブスライダー５０について説明する。
トラバース３０を変位させるカム機構は、メインスライダー４０とサブスライダー５０にそれぞれ設けている。ここで、メインスライダー４０とサブスライダー５０とは、スピンドルモータ３１Ａの側方に位置するように配設されている。メインスライダー４０は、その一端がシャーシ本体１０のフロント面側、その他端がシャーシ本体１０のリア面側となる方向に配設されている。また、サブスライダー５０は、トラバース３０とリアベース１３との間に、メインスライダー４０と直交する方向に配設されている。
トラバース３０を変位させるカム機構は、第１のカム機構４１と第２のカム機構５１によって構成される。第１のカム機構４１は、メインスライダー４０のスピンドルモータ３１Ａ側の面に、第２のカム機構５１は、サブスライダー５０のスピンドルモータ３１Ａ側の面にそれぞれ設けられている。
なお、メインスライダー４０とトラバース３０との間にはベース部材１５が設けられ、サブスライダー５０とトラバース３０との間にはベース部材１６が設けられている。ここでベース部材１５とベース部材１６はベース本体１０に固定され、ベース部材１５に設けた縦溝によってトラバース３０のカムピン３６を位置規制し、ベース部材１６に設けた縦溝によってトラバース３０のカムピン３７を位置規制している。
ここで、ベース部材１６とサブスライダー５０とは、第３のカム機構（図１では図示せず）によって連結している。そしてこの第３のカム機構は、第２のカム機構５１によってトラバース３０をベース本体１０に対して離間する方向に移動させる時に、サブスライダー５０をベース本体１０に対して離間する方向に移動させる機能を備えている。
【００１４】
メインスライダー４０の一端側にはローディングモータ６０が配設されている。ローディングモータ６０の駆動軸６１とメインスライダー４０の一端側とは歯車機構を介して連結されている。なお、ローディングモータ６０の駆動軸６１には歯車機構を構成するウオームギア６２が設けられている。
ローディングモータ６０は、その本体がディスク挿入口１１の中央部に、駆動軸６１がディスク挿入口１１の端部側に、それぞれが位置するように配設されている。
このローディングモータ６０の駆動によってメインスライダー４０を長手方向に摺動させることができる。またメインスライダー４０は、カムレバー７０によってサブスライダー５０と連結している。
カムレバー７０は回動支点７１を有し、ピン７２及びピン７３でメインスライダー４０の上面に設けたカム溝と係合し、ピン７４でサブスライダー５０の上面に設けたカム溝と係合している。
このカムレバー７０は、メインスライダー４０の第１のカム機構４１によってトラバース３０を変位させるタイミングで、サブスライダー５０を移動させ、サブスライダー５０の移動によって第２のカム機構５１を動作させてトラバース３０を変位させる機能を有する。
【００１５】
以上説明した、コネクタ１２、トラバース３０、リアベース１３、プリント基板１４、インシュレータ３４Ａ、３４Ｂ、メインスライダー４０、サブスライダー５０、ベース部材１５、ベース部材１６、及びローディングモータ６０は、ベース本体１０の深底部１０Ａに設けられ、これらの部材と蓋体との間に、ディスク挿入空間を形成する。
【００１６】
次に、ディスクを挿入する時にディスクを支持するガイド部材と、ディスクを挿入する時に動作するレバー部材について説明する。
深底部１０Ａのディスク挿入口１１近傍の一端側には、所定長さの第１のディスクガイド１７が設けられている。この第１のディスクガイド１７は、ディスク挿入側から見た断面が、「コ」の字状の溝を有している。この溝によってディスクは支持される。
一方、ディスク挿入口１１の他端側のベース本体１０には、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。また、第２のディスクガイド８１のローラ外周には溝が形成され、この溝によってディスクは支持される。
引き込みレバー８０は、可動側端部が固定側端部よりもディスク挿入口１１側で動作するように配置され、固定側端部に回動支点８２を有している。従って、引き込みレバー８０の回動支点８２となる固定側端部は、ベース本体１０の外周部に配置され、可動側端部はベース本体１０の内周部で動作する。
また、引き込みレバー８０の裏面（ベース本体１０側の面）の可動側端部と固定側端部との間には長溝８３が設けられている。一方、引き込みレバー８０の表面の可動側端部と固定側端部との間には所定長さの第３のディスクガイド８４が設けられている。
【００１７】
引き込みレバー８０は、サブレバー９０によって動作する。
サブレバー９０は、可動側の一端に凸部９１を備え、他端側に回動支点９２を備えている。サブレバー９０の凸部９１は、引き込みレバー８０の長溝８３内を摺動する。また、サブレバー９０の回動支点９２は、メインスライダー４０上に位置している。なお、回動支点９２は、メインスライダー４０とは連動せず、ベース本体１０にベース部材１５を介して固定されている。またサブレバー９０の回動支点９２よりも凸部９１側の下面には、ピン９３を備えている。このピン９３は、メインスライダー４０の上面に設けられたカム溝内を摺動する。従って、サブレバー９０は、メインスライダー４０の移動にともなって角度が変更され、このサブレバー９０の角度の変更によって引き込みレバー８０の旋回角度を変更する。すなわち、サブレバー９０の動作によって、引き込みレバー８０の第２のディスクガイド８１がスピンドルモータ３１Ａに近接離間するように動作する。なお、引き込みレバー８０の可動側端部に近い側の長溝８３の端部には、サブレバー９０の旋回方向に延びる溝８３Ａが設けられている。この溝８３Ａによって、第２のディスクガイド８１がディスクを最も引き込んだ時に、サブレバー９０の旋回角度にばらつきが発生しても、引き込みレバー８０の旋回角度にはばらつきが発生せず、ディスク引き込み量を安定させることができる。
【００１８】
ベース本体１０の引き込みレバー８０と異なる側部には、排出レバー１００が設けられている。この排出レバー１００の一端側の可動側端部にはガイド１０１が設けられている。また、排出レバー１００の他端側には、回動支点１０２が設けられている。また、排出レバー１００の可動側端部には、ガイド１０１よりもリア面側に当接部１０３が設けられている。また、排出レバー１００には、弾性体１０４が設けられている。この弾性体１０４の一端は排出レバー１００に固定されており、他端はリアベース１３に固定されている。当接部１０３は、弾性体１０４によってリア面側に引き込まれた場合に、リアベース１３の当接部１３Ａと当接する。また排出レバー１００は、弾性体１０４の弾性力によってディスク挿入口１１側に引き出される。従って、排出レバー１００の回動支点１０２となる固定側端部は、ベース本体１０の外周部に配置され、可動側端部はベース本体１０の内周部で動作する。なお、排出レバー１００は、リンクアーム１０５と排出スライダー１０６を介してメインスライダー４０の動きと連動して動作する。ここでリンクアーム１０５は、メインスライダー４０と排出スライダー１０６とを連接し、排出レバー１００はカムピンによって排出スライダー１０６のカム溝と係合している。
ベース本体１０のリア面側には、規制レバー１１０が設けられている。この規制レバー１１０はリア面側端部を回動支点１１１とし、可動側端部にガイド１１２を備えている。この規制レバー１１０は、弾性体１１３によってガイド１１２側が常にフロント面側に突出するように付勢されている。従って、規制レバー１１０の回動支点１１１となる固定側端部は、ベース本体１０の外周部に配置され、可動側端部はベース本体１０の内周部で動作する。また、規制レバー１１０は所定位置でリミットスイッチを動作させる。すなわち、ディスクが所定位置まで挿入されると、リミットスイッチがオフし、ローディングモータ６０を駆動する。このローディングモータ６０の駆動によって、メインスライダー４０が摺動する。
また、排出レバー１００と同じ側のベース本体１０の側部には、ガイドレバー１８０が設けられている。ガイドレバー１８０は、リア面側を回動支点１８１とし、可動側にガイド１８２を備えている。このガイドレバー１８０は、弾性体１８３によってガイド１８２側がディスク側に突出するように付勢されている。また、このガイドレバー１８０は、リンクアーム１０５と排出スライダー１０６を介してメインスライダー４０と連動し、このメインスライダー４０の動きに応じて、ガイド１８２側がディスクから離間するように動作する。
【００１９】
なお、ディスク挿入口１１の内側には、プロテクト機構１２０が設けられている。このプロテクト機構１２０は、ディスクがシャーシ外装内に既に装着された状態の時に、ディスク挿入口１１からの他のディスクの挿入を阻止する。またスピンドルモータ３１Ａの近傍のトラバース３０には開口部を備え、この開口部には、ベース本体１０から蓋体に向かって突出したピン１８を設けている。このピン１８は、トラバース３０が最もベース本体１０側に移動した状態では、スピンドルモータ３１Ａのハブ３１Ｂよりも蓋体側に突出する高さであり、またトラバース３０がスピンドルモータ３１Ａの駆動状態（再生録音可能な作動状態）では、スピンドルモータ３１Ａのハブ３１Ｂよりもベース本体１０側に引き込んだ高さである。ピン１８は、スピンドルモータ３１Ａに装着されるディスクの中心部の非記録面に対応する位置であって、スピンドルモータ３１Ａよりもインシュレータ３４から離れた位置に設けることが好ましい。
また、ベース本体１０のフロント面側には、フロントガイダー２１とトラバースフェルト２２が設けられている。フロントガイダー２１は、ディスク挿入口１１の一端側であって、引き込みレバー８０とディスク挿入口１１との間に配置されている。またこのフロントガイダー２１は、ローディングモータ６０や歯車機構、メインスライダー４０の一部を覆うように、これらの部材よりも蓋体側に設けられている。このフロントガイダー２１は、挿入されるディスクの記録面全面が接触しないように周囲にテーパーが設けられ、表面がウレタンフッ素コーティングされている。一方、トラバースフェルト２２は、ディスク挿入口１１の他端側であって、トラバース３０のディスク挿入口１１側を一部覆うように、トラバース３０よりも蓋体側に設けられている。このトラバースフェルト２２は、挿入されるディスクの記録面全面が接触しないように中央部が凸状になっており、フェルト材で構成されている。フロントガイダー２１とトラバースフェルト２２は、第１のディスクガイド１７や第２のディスクガイド８１では十分にディスクを支持できない場合に、ディスクの面方向への傾きによって記録面に傷が付くのを防止することができる。なお、フロントガイダー２１をフェルト材で構成し、トラバースフェルト２２をウレタン樹脂ビーズ配合のフッ素系コーティングしたものを用いてもよい。また、スピンドルモータ３１Ａにディスクが装着された状態でのディスクの外周端よりも外方に位置するとともにディスク挿入口１１側に位置するトラバース３０面の一部に凸状ガイドを設けてもよい。この凸状ガイドによって、トラバースフェルト２２の一部を凸状に形成することができる。また、トラバースフェルト２２を設ける代わりに、この凸状ガイドを設けてもよい。この場合には、凸状ガイド面にウレタン樹脂ビーズ配合のフッ素系コーティングを塗布することが好ましい。コーティング材としては、ビーズ径が２０ミクロンのウレタン樹脂に、ウレタン樹脂に対する配合比が５％のフッ素と、ウレタン樹脂に対する配合比が１．０〜１．５％のシリコンとを配合したコーティング材を用いることが好ましい。また、コーティング材の摩擦係数は、０．２〜０．６が好ましく、０．５５以下がより好ましい。
【００２０】
次に、図２を用いて同ディスク装置の蓋体について説明する。
蓋体１３０の外縁部には、複数のビス孔１３１が設けられ、蓋体１３０は、ビスによってベース本体１０に取り付けられる。
蓋体１３０の中央部には、開口部１３２が設けられている。この開口部１３２は、ディスクの中心孔よりも大きな半径の円形開口である。従って、ディスクの中心孔に嵌合するスピンドルモータ３１Ａのハブ３１Ｂよりも大きな開口である。
開口部１３２の外周部には、ベース本体１０側に突出させた絞り部１３３が形成されている。また開口部１３２には、絞り部１３３からディスク挿入口１１側に向かって先細り形状をした絞り部１３４が設けられている。この絞り部１３４によって、ベース本体１０側に凸状ガイドを形成する。また蓋体１３０には、複数の絞り部１３５Ａ、１３５Ｂ、１３５Ｃ、１３５Ｄが形成され、これらの絞り部１３５Ａ、１３５Ｂ、１３５Ｃ、１３５Ｄによってベース本体１０側に凸状ガイドを形成している。
これらの絞り部１３５Ａ、１３５Ｂ、１３５Ｃ、１３５Ｄは、スピンドルモータ３１Ａに装着された状態でのディスク１Ｃの外周端よりも外方で、開口部１３２よりもディスク挿入口１１側に設けている。これらの絞り部１３５Ａ、１３５Ｂ、１３５Ｃ、１３５Ｄによって形成される凸状ガイドによって、ディスク挿入口１１から挿入されるディスク１Ａ、１Ｂがガイドされる。またこれら絞り部１３３、１３４、１３５Ａ、１３５Ｂ、１３５Ｃ、１３５Ｄによって蓋体１３０の強度を高めている。なお、絞り部１３５Ａと絞り部１３５Ｃ、または絞り部１３５Ｂと絞り部１３５Ｄとは連続した一つの絞りでもよいが、複数に分割することで蓋体１３０の強度を更に高めることができる。
蓋体１３０の内周面全体には、ウレタン樹脂ビーズ配合のフッ素系コーティングを塗布している。なお、コーティングは、絞り部１３３、先細り形状をした絞り部１３４、複数の絞り部１３５Ａ、１３５Ｂ、１３５Ｃ、１３５Ｄのディスクとの接触面だけに施してもよい。この場合のコーティング材も、ビーズ径が２０ミクロンのウレタン樹脂に、ウレタン樹脂に対する配合比が５％のフッ素と、ウレタン樹脂に対する配合比が１．０〜１．５％のシリコンとを配合したコーティング材を用いることが好ましい。また、コーティング材の摩擦係数は、０．２〜０．６が好ましく、０．５５以下がより好ましい。
【００２１】
次に図４を用いて、排出レバー１００のガイド１０１について説明する。
ガイド１０１は、排出レバー１００に固定されるシャフト１０１Ａと、このシャフト１０１Ａによって排出レバー１００に固定される固定部１０１Ｂと、この固定部１０１Ｂに対して変位する可動部１０１Ｃと、この可動部１０１Ｃを固定部１０１Ｂから離間する方向に付勢する弾性体１０１Ｄとによって構成されている。
シャフト１０１Ａは、一端側を排出レバー１００に設けた孔に嵌合固定された所定長さの円柱材から構成されている。
固定部１０１Ｂは、一端側をシャフト１０１Ａによって固定され、排出レバー１００側の一端側外径を、可動部１０１Ｃ側外径よりも大きく構成しており、その外周面を傾斜させている。また、固定部１０１Ｂの内周径は、シャフト１０１Ａの外径よりも大きく構成している。
可動部１０１Ｃは、円筒状部材からなり、可動部１０１Ｃの内周面はシャフト１０１Ａの外周面と摺動し、可動部１０１Ｃの外周面は固定部１０１Ｂの内周面と摺動するように構成されている。また可動部１０１Ｃの排出レバー１００側の端部は、弾性体１０１Ｄと当接し、可動部１０１Ｃの蓋体１３０側の端部には、リング状のリブ１０１Ｅを設けている。
弾性体１０１Ｄは、例えば排出レバー１００側外径を可動部１０１Ｃ側外径よりも大きくした円錐コイルばねによって構成する。そして、弾性体１０１Ｄの一端側は、シャフト１０１Ａ及び固定部１０１Ｂと当接し、弾性体１０１Ｄの他端側は、可動部１０１Ｃと当接する。
なお、図４では、排出レバー１００のガイド１０１について説明したが、引き込みレバー８０の第２のディスクガイド８１、規制レバー１１０のガイド１１２、ガイドレバー１８０のガイド１８２についてもガイド１０１と同様の構成とすることで、第２のディスクガイド８１、ガイド１１２、及びガイド１８２についても蓋体１３０との隙間を無くし、ディスク１を確実に保持することができる。
【００２２】
以下に、図５から図１７を用いてディスクの挿入時における各部材の動きについて説明する。
図５は本実施例によるディスク挿入時の初期段階を示すディスク装置のベース本体の平面図、図６は本実施例によるディスク挿入途中段階を示すディスク装置のベース本体の平面図、図７は本実施例によるディスク挿入完了段階を示すディスク装置のベース本体の平面図、図８は、図７に示す状態から所定時間経過した段階を示すディスク装置のベース本体の平面図、図９は、トラバースを、スピンドルモータ側が蓋体に最も近接する方向に動作させた状態を示すディスク装置のベース本体の平面図である。また、図１０は、本実施例による第１のカム機構を示すメインスライダーの側面図、図１１は、本実施例による第２のカム機構と第３のカム機構を示すサブスライダーの側面図である。また、図１２は、図６の状態を示すディスク装置の要部側断面図、図１３は、図７及び図８の状態を示すディスク装置の要部側断面図、図１４は、チャッキング寸前の状態を示すディスク装置の要部側断面図、図１５は、図９の状態を示すディスク装置の要部側断面図、図１６は、ディスクの再生動作状態を示すディスク装置の要部側断面図、図１７は、図１４の状態においてディスクとハブの中心にずれが生じている場合を示すディスク装置の要部側断面図である。
【００２３】
図５は、図２に示すディスク１Ａの状態である。
ディスク１が挿入されていない状態での引き込みレバー８０は、スピンドルモータ３１Ａ側に所定角度回動した状態で待機している。この状態では、サブレバー９０の凸部９１は、溝８３Ａまで至らない長溝８３の可動側端部に位置する。また、ガイド１７と第２のディスクガイド８１との間隔は、ディスク１の直径より狭くなっている。
ディスク１挿入時の初期段階においては、ディスク１Ａは、まずガイド１７と第２のディスクガイド８１とに当接し、ガイド１７と第２のディスクガイド８１によって支持され位置規制される。この時、第２のディスクガイド８１を図４に示すような構成とすることで、第２のディスクガイド８１と蓋体１３０との間の隙間を無くし、ディスク１Ａを第２のディスクガイド８１の可動部にて確実に保持することができる。
ディスク１Ａを更に押し込むと、この挿入動作にともなって第２のディスクガイド８１は、スピンドルモータ３１Ａから離れる方向に旋回動作する。この第２のディスクガイド８１の旋回動作にともない、サブレバー９０の凸部９１は長溝８３内を固定側端部に向かって摺動する。従ってサブレバー９０も回動支点９２を中心に旋回動作する。ディスク１Ａの挿入動作を更に続けると、ディスク１Ａは排出レバー１００のガイド１０１に当接する。この時、ガイド１０１と蓋体１３０との間には隙間を生じないので、ディスク１Ａをガイド１０１の可動部１０１Ｃにて確実に保持することができる。
なお図５に示す状態では、ローディングモータ６０は動作せず、従って、メインスライダー４０やサブレバー５０も動作しない。また、ディスク１Ａの上面は、図２に示す蓋体１３５の絞り部１３５Ａ、１３５Ｂ、１３５Ｃ、１３５Ｄによって形成される凸状ガイドに接触しながら摺動し、ディスク１Ａの下面は、図１に示すフロントガイダー２１やトラバースフェルト２２に接触しながら摺動する。
【００２４】
図６及び図１２は図２に示すディスク１Ｂの状態である。
図５に示す状態から更にディスク１を挿入すると、ディスクの一端側はガイド１７に支持された状態で、他端側は第３のディスクガイド８４に支持される。引き込みレバー８０はスピンドルモータ３１Ａから最も離間した状態となる。この状態では、サブレバー９０の凸部９１は、長溝８３の固定側端部に位置する。また、ガイド１７と第２のディスクガイド８１との間隔は、ディスク１の直径とほぼ同じ寸法となっている。一方、排出レバー１００は、ディスク１Ｂによってガイド１０１が押されるため、ディスクの挿入動作とともに回動を続ける。なお、ディスク１Ａの上面は、図２に示す蓋体１３５の絞り部１３５Ａ、１３５Ｂ、１３５Ｃ、１３５Ｄによって形成される凸状ガイドに接触しながら摺動するとともに、図１２に示すように絞り部１３３、１３４に接触しながら摺動する。
図６の状態から更にディスク１Ｂを押し込むと、この挿入動作にともなって第２のディスクガイド８１は、今度はスピンドルモータ３１Ａに近接する方向に移動する。この第２のディスクガイド８１の旋回動作にともない、サブレバー９０の凸部９１は長溝８３内を固定側端部から可動側端部に向かって摺動する。従ってサブレバー９０も回動支点９２を中心に旋回動作する。
【００２５】
一方、上記の動作過程において、ディスク１Ｂは規制レバー１１０のガイド１１２に当接し、規制レバー１１０が回動動作を行う。この時、ガイド１１２を図４に示すような構成とすることで、ガイド１１２と蓋体１３０との間の隙間を無くし、ディスク１Ｂをガイド１１２の可動部にて確実に保持することができる。
第２のディスクガイド８１がスピンドルモータ３１Ａに近接する方向に所定角度回動した時、ディスク１Ｂによって規制レバー１１０も所定角度回動する。そして、規制レバー１１０が所定角度回動することで、リミットスイッチが動作し、ローディングモータ６０の駆動が開始される。なお、ガイドレバー１８０のガイド１８２はディスク１Ｂ側に突出した状態にあり、ディスク１Ｂは、このガイド１８２によっても支持されて摺動する。この時、ガイド１８２を図４に示すような構成とすることで、ガイド１８２と蓋体１３０との間の隙間を無くし、ディスク１Ｂをガイド１８２の可動部にて確実に保持することができる。
このローディングモータ６０の駆動によって、メインスライダー４０はリア面側に摺動を開始する。そしてメインスライダー４０の動作によって、サブレバー９０のピン９３が、対応するメインスライダー４０に設けられたカム溝に沿って移動する。この時、ピン９３は、対応するカム溝によってスピンドルモータ３１Ａ側に移動する。このピン９３の移動によってサブレバー９０は、引き込みレバー８０をその可動側端部がスピンドルモータ３１Ａ側に旋回移動する方向に付勢する。従って、引き込みレバー８０はディスク１Ｂを挿入方向に付勢する。この引き込みレバー８０の付勢力によって、ディスクは人為的な操作を離れ更に押し込まれる。
【００２６】
図７及び図１３は図２に示すディスク１Ｃの状態である。
ディスク１Ｃは、第２のディスクガイド８１、ガイドレバー１８０のガイド１８２、及び規制レバー１１０のガイド１１２の３点で支持され、ディスク１Ｃの中心孔がスピンドルモータ３１Ａと対応する位置に規制される。
一方、ローディングモータ６０は駆動し続け、メインスライダー４０も摺動動作を継続している。
図７に示す状態から所定時間、メインスライダー４０は移動するが、サブレバー９０のピン９３に対応するカム溝が移動方向と平行に形成されているため、サブレバー９０は動作しない。この状態では、サブレバー９０の凸部９１は溝８３Ａに位置している。なお、引き込みレバー８０も動作せず、ディスク１Ｃを支持した状態を継続している。
一方、カムレバー７０についても、図７に示す状態からの所定時間は、依然として動作しない。すなわちカムレバー７０のピン７２、７３に対応するカム溝が、メインスライダー４０の移動方向と平行に形成されている。
図８は、図７に示す状態から、上記所定時間経過した段階を示し、図７に示す状態から図８に示す状態では、トラバース３０は図１３の状態を維持している。
図８の状態から、更にローディングモータ６０を駆動し、メインスライダー４０を移動すると、カムレバー７０は、ピン７２によって回動支点７１を中心として回動する。このカムレバー７０の回動によって、サブスライダー５０は、メインスライダー４０から離間する方向に摺動する。
このように、図８の状態からのメインスライダー４０とサブスライダー５０の摺動動作によってトラバース３０が動作する。すなわちトラバース３０は、図１３に示す状態から、図１４に示すようにスピンドルモータ３１Ａ側が蓋体１３０に近接する方向に動作を開始する。なお、引き込みレバー８０は、ディスク１Ｃの保持を継続する。
【００２７】
図９は、トラバース３０を、スピンドルモータ３１Ａ側が蓋体１３０に最も近接する方向に動作させた状態を示し、トラバース３０のスピンドルモータ３１Ａ側は図１５に示すように最上位置まで上昇し、ハブ３１Ｂがディスク１Ｃの孔に嵌合してチャッキングを行う。
そして、ハブ３１Ｂのディスク１Ｃの孔へのチャッキング終了後に、図１６に示すようにトラバース３０のスピンドルモータ３１Ａ側は若干下降してディスクの再生、記録状態に配置される。
なお、図１４に示す状態において、ディスク１Ｃの中心がハブ３１Ｂの中心と一致している場合には、トラバース３０のスピンドルモータ３１Ａ側を上昇させることで、図１５に示すようにチャッキングを行うことができる。しかし、ディスク１Ｃの外径公差や装置部品のばらつきによって、図１７に示すようにディスク１Ｃの中心がハブ３１Ｂの中心とずれを生じている場合には、ディスク１Ｃを適切な位置に横滑りさせる必要がある。本実施例においては、絞り部１３３、１３４の下面にウレタン樹脂ビーズ配合のフッ素系コーティングを施しているため、ハブ３１Ｂのディスク１Ｃへの押圧力によりディスク１Ｃは適切な位置に横滑りし、チャッキングをスムーズに行うことができる。
【００２８】
以下に、トラバース３０の動作メカニズムについて、図１０から図１６を用いて詳細に説明する。
図１０に示すように、メインスライダー４０には第１のカム機構４１を構成する長溝が設けられており、この長溝にトラバース３０に固定されたカムピン３６が摺動自在に設けられている。ここで第１のカム機構４１は、長溝とカムピン３６によって構成されている。
一方、図１１に示すように、サブスライダー５０には第２のカム機構５１を構成する長溝が設けられており、この長溝にトラバース３０に固定されたカムピン３７が摺動自在に設けられている。ここで第２のカム機構５１は、長溝とカムピン３７によって構成されている。また、サブスライダー５０の両端には第３のカム機構５２を構成する２つの同一形状からなる長溝が設けられており、これらの長溝にベース部材１６に固定されたカムピン５３が摺動自在に設けられている。ここで第３のカム機構５２は、長溝とカムピン５３によって構成されている。
【００２９】
図１０におけるカムピン３６Ａ、図１１におけるカムピン３７Ａ及びカムピン５３Ａは、トラバース３０が動作する前の図８、図１３の状態を示している。
また、図１０におけるカムピン３６Ｂ、図１１におけるカムピン３７Ｂ及びカムピン５３Ｂは、トラバース３０を、スピンドルモータ３１Ａ側が蓋体１３０に最も近接する方向に動作させた状態である図９、図１５の状態を示している。
なお、図１０、図１１に示す矢印は、それぞれメインスライダー４０とサブスライダー５０の移動方向を示している。
図１０に示すように、カムピン３６は、カムピン３６Ａの位置からカムピン３６Ｂの位置に移動することによってトラバース３０を動作させる。従って、トラバース３０のカムピン３６の位置では、トラバース３０をベース本体１０に対して、カムピン３６Ａの位置からカムピン３６Ｂの位置までのＹ軸方向移動距離だけ移動する。
一方、図１１に示すように、カムピン３７は、カムピン３７Ａの位置からカムピン３７Ｂの位置に移動することによって、サブスライダー５０に対してトラバース３０を動作させる。従って、トラバース３０のカムピン３６の位置では、トラバース３０をサブスライダー５０に対して、カムピン３６Ａの位置からカムピン３６Ｂの位置までのＹ軸方向移動距離だけ移動する。また、カムピン５３は、カムピン５３Ａの位置からカムピン５３Ｂの位置に移動することによって、ベース本体１０に対してサブスライダー５０を動作させる。従って、トラバース３０のカムピン３６の位置では、サブスライダー５０をベース本体１０に対して、カムピン５３Ａの位置からカムピン５３Ｂの位置までのＹ軸方向移動距離だけ移動する。このように、サブスライダー５０側では、トラバース３０は、カムピン３６Ａの位置からカムピン３６Ｂの位置までのＹ軸方向移動距離と、カムピン５３Ａの位置からカムピン５３Ｂの位置までのＹ軸方向移動距離とを合わせた移動距離だけ、ベース本体１０に対してＹ軸方向に移動する。
本実施例では、図１０に示すカムピン３６Ａの位置からカムピン３６Ｂの位置までのＹ軸方向移動距離は、図１１に示すカムピン３７Ａの位置からカムピン３７Ｂの位置までのＹ軸方向移動距離と、カムピン５３Ａの位置からカムピン５３Ｂの位置までのＹ軸方向移動距離とを合わせた移動距離と同じとしている。
【００３０】
以上のように動作させ、トラバース３０を、スピンドルモータ３１Ａ側が蓋体１３０に最も近接する方向に動作させた状態では、図１５に示すように、ディスク１は、蓋体１３０に当接し、スピンドルモータ３１Ａと蓋体１３０とによって押圧される。この押圧力によってディスク１の中心孔にスピンドルモータ３１Ａのハブ３１Ｂが嵌合し、チャッキングが完了する。
チャッキングが完了すると、トラバース３０は、スピンドルモータ３１Ａ側が蓋体１３０から離間する方向に動作し、図１６に示す状態となる。
この動作は、更にローディングモータ６０を駆動し、メインスライダー４０を移動することによって行われる。
チャッキング完了からスピンドルモータ３１Ａが再生録音可能な作動状態（駆動状態）までの動作は、メインスライダー４０では、カムピン３６がカムピン３６Ｂの位置からカムピン３６Ｃの位置に移動することにより、サブスライダー５０では、カムピン３７がカムピン３７Ｂの位置からカムピン３７Ｃの位置に移動することにより、またカムピン５３がカムピン５３Ｂの位置からカムピン５３Ｃの位置に移動することにより行われる。
そして、スピンドルモータ３１Ａが再生録音可能な作動状態（駆動状態）にある時には、ディスク１は、引き込みレバー８０の第２のディスクガイド８１、規制レバー１１０のガイド１１２、及びガイドレバー１８０のガイド１８２からの支持が解除され、スピンドルモータ３１Ａのハブ３１Ｂによってのみ保持された状態にある。ここで、引き込みレバー８０の第２のディスクガイド８１、規制レバー１１０のガイド１１２、及びガイドレバー１８０のガイド１８２は、メインスライダー４０の移動動作によって作動する。
【００３１】
ここで図１１に示すように、サブスライダー５０の第２のカム機構５１には、例えば板ばねからなる弾性体５５が、第３のカム機構５２にも、例えば板ばねからなる弾性体５６が設けられている。ここで弾性体５５と弾性体５６とは、弾性体５５のカムピン３７に対する付勢方向と、弾性体５６のカムピン５３に対する付勢方向とが異なるように設けている。なお、弾性体５５と弾性体５６との付勢方向は逆方向であることが好ましい。
また、装着されたディスク１を排出する時には、ローディングモータ６０を駆動し、メインスライダー４０を移動することにより行われ、基本的には上記の動作が逆に行われる。
【００３２】
以下に、装着されているディスクが排出されるまでを簡単に説明する。
まず、エジェクト指示に基づき、ローディングモータ６０が駆動され、メインスライダー４０がディスク挿入口１１側に移動する。
従って、メインスライダー４０では、カムピン３６がカムピン３６Ｃの位置からカムピン３６Ｂの位置を経由してカムピン３６Ａの位置に移動し、サブスライダー５０では、カムピン３７がカムピン３７Ｃの位置からカムピン３７Ｂの位置を経由してカムピン３７Ａの位置に移動し、またカムピン５３がカムピン５３Ｃの位置からカムピン５３Ｂの位置を経由してカムピン５３Ａの位置に移動にする。
上記のように、それぞれのカム機構が動作することにより、ディスク１は、一旦蓋体１３０側に移動した後に、ベース本体１０側に移動する。
ディスク１は、ベース本体１０側に移動する時に、ディスク１の外周側で、第２のディスクガイド８１、ガイド１１２、１８２に当接し、ディスク１の内周側でピン１８に当接する。従って、トラバース３０のベース本体１０側への移動にともなって、ディスク１には、第２のディスクガイド８１、ガイド１１２、１８２及びピン１８から蓋体１３０側への力が加わり、ディスク１はスピンドルモータ３１Ａのハブ３１Ｂから解除される。なお、本実施例のように、ピン１８をスピンドルモータ３１Ａの外周位置であって、スピンドルモータ３１Ａよりもインシュレータ３４から離れた位置に設けることで、第２のディスクガイド８１、ガイド１１２、１８２の作用が働かなくてもディスク１のスピンドルモータ３１Ａのハブ３１Ｂからの解除を行うことができる。
その後、排出レバー１００は、メインスライダー４０の動作によってロックが解除され、弾性体１０４の弾性力により、可動側端部がディスク挿入口１１側に回動する。従って、スピンドルモータ３１Ａのハブ３１Ｂから外されたディスク１は、排出レバー１００によってディスク挿入口１１側に押し出される。なお、排出レバー１００が動作する状態では、引き込みレバー８０は、その可動側端部がスピンドルモータ３１Ａから最も離間する方向に移動した状態に保持されている。なお、引き込みレバー８０の位置は、第２のディスクガイド８１がディスク１に接触しない位置であればよい。このようにディスク排出時に、ディスク１が第２のディスクガイド８１に当接しない位置に引き込みレバー８０を配置することで、ディスク排出時のトラブルを防止することができる。
【００３３】
図１８は他の実施例による排出レバーのガイド示す要部拡大断面図である。
上記実施例と同一機能を有する構成には同一符号を付して説明を省略する。
図１８に示す実施例においては、可動部１０１Ｃの蓋体１３０側端部に傾斜部１０１Ｆを設けている。この傾斜部１０１Ｆは、蓋体１３０側外径をレバー１００側外径よりも大きくし、外周面を傾斜させて構成している。本実施例のように傾斜部１０１Ｆを設けることで、ディスクを可動部１０１Ｃの所定の位置で当接させることができるので、ディスクの傾きを抑えることができる。
なお、本実施例においても、排出レバー１００のガイド１０１について説明したが、引き込みレバー８０の第２ディスクガイド８１、規制レバー１１０のガイド１１２、ガイドレバー１８０のガイド１８２についても同様の構成とすることができる。
【産業上の利用可能性】
【００３４】
本実施例のディスク装置は、表示手段と入力手段と演算処理手段などを備えたパソコン本体に内蔵され、または後付で装着されるディスク装置に用いられ、特に表示手段と入力手段と演算処理手段などを一体化したノート型パーソナルコンピュータとして特に有用である。
【図面の簡単な説明】
【００３５】
【図１】本発明の一実施例によるディスク装置のベース本体の平面図
【図２】同ディスク装置の蓋体の平面図
【図３】同ディスク装置のシャーシ外装のフロント面に装着されるベゼルの正面図
【図４】同ディスク装置の排出レバーのガイドを示す要部拡大断面図
【図５】本実施例によるディスク挿入時の初期段階を示すディスク装置のベース本体の平面図
【図６】本実施例によるディスク挿入途中段階を示すディスク装置のベース本体の平面図
【図７】本実施例によるディスク挿入完了段階を示すディスク装置のベース本体の平面図
【図８】図７に示す状態から所定時間経過した段階を示すディスク装置のベース本体の平面図
【図９】トラバースを、スピンドルモータ側が蓋体に最も近接する方向に動作させた状態を示すディスク装置のベース本体の平面図
【図１０】本実施例による第１のカム機構を示すメインスライダーの側面図
【図１１】本実施例による第２のカム機構と第３のカム機構を示すサブスライダーの側面図
【図１２】図６の状態を示すディスク装置の要部側断面図
【図１３】図７及び図８の状態を示すディスク装置の要部側断面図
【図１４】チャッキング寸前の状態を示すディスク装置の要部側断面図
【図１５】図９の状態を示すディスク装置の要部側断面図
【図１６】ディスクの再生動作状態を示すディスク装置の要部側断面図
【図１７】図１４の状態においてディスクとハブの中心にずれが生じている場合を示すディスク装置の要部側断面図
【図１８】他の実施例による排出レバーのガイド示す要部拡大断面図
【符号の説明】
【００３６】
１０    ベース本体
１１    ディスク挿入口
１２    コネクタ
１３    リアベース
１４    プリント基板
１５    ベース部材
１６    ベース部材
１７    ガイド
３０    トラバース
３１Ａ  スピンドルモータ
３２    ピックアップ
４０    メインスライダー
４１    第１のカム機構
５０    サブスライダー
５１    第２のカム機構
５２    第３のカム機構
６０    ローディングモータ
７０    カムレバー
８０    引き込みレバー
８１    第２のディスクガイド
８３    長溝
９０    サブレバー
１００    排出レバー
１０１Ａ  シャフト
１０１Ｂ  固定部
１０１Ｃ  可動部
１０１Ｄ  弾性体
１０１Ｅ  リブ
１３０    蓋体
【図１】
2005302188.tif 000003
【図２】
2005302188.tif 000004
【図３】
2005302188.tif 000005
【図４】
2005302188.tif 000006
【図５】
2005302188.tif 000007
【図６】
2005302188.tif 000008
【図７】
2005302188.tif 000009
【図８】
2005302188.tif 000010
【図９】
2005302188.tif 000011
【図１０】
2005302188.tif 000012
【図１１】
2005302188.tif 000013
【図１２】
2005302188.tif 000014
【図１３】
2005302188.tif 000015
【図１４】
2005302188.tif 000016
【図１５】
2005302188.tif 000017
【図１６】
2005302188.tif 000018
【図１７】
2005302188.tif 000019
【図１８】
2005302188.tif 000020